(57)【要約】【課題】現場での施工が簡単でありながら、天井の壁際部において地震などの振動を最大限に吸収することができる廻り縁の納め構造を提供することにある。【解決手段】格子状に配列した天井支持バー（１）とこの天井支持バー（１）の端部で直角に配列される廻り縁部材（２）とがあって、この廻り縁部材（２）が、上記天井支持バー（１）の端部で接続部材（３）を介して接続されてなる廻り縁の納め構造において、上記廻り縁部材（２）の下端部（５）が、上記天井支持バー（１）の下部に突き当たる突当部（８）に対して前後方向に自在に動くスライド部分となした。【選択図】    図１
2004332477.tif 000002
【特許請求の範囲】
【請求項１】
格子状に配列した天井支持バーとこの天井支持バーの端部で直角に配列される廻り縁部材とがあって、この廻り縁部材が、上記天井支持バーの端部で接続部材を介して接続されてなる廻り縁の納め構造において、上記廻り縁部材の下端部が、上記天井支持バーの下部に突き当たる突当部に対して前後方向に自在に動くスライド部分となしたことを特徴とする廻り縁の納め構造。
【請求項２】
上記廻り縁部材の下端部が、曲面状に形成されたものであることを特徴とする請求項１記載の廻り縁の納め構造。
【請求項３】
上記廻り縁部材の下端部が、最先端部が尖った傾斜面状に形成されたものであることを特徴とする請求項１記載の廻り縁の納め構造。
【請求項４】
上記廻り縁部材の下端部と上記突当部との間に若干の隙間を形成したことを特徴とする請求項１ないし請求項３いずれか記載の廻り縁の納め構造。
【請求項５】
上記天井支持バーに対して、同天井支持バーの上方で並行する方向または直交する方向に筋交を設けたことを特徴とする請求項１ないし請求項４いずれか記載の廻り縁の納め構造。
【発明の詳細な説明】
【０００１】
【発明の属する技術分野】
本発明は、廻り縁の納め構造に関し、具体的には、システム天井などにおいて利用されるのに有用な廻り縁の納め構造に関するものである。
【０００２】
【従来の技術】
従来の廻り縁の納め構造としては、例えば、図６および図７のそれぞれ（ａ）に示すごとく、格子状に配列した天井支持バー（１）とこの天井支持バー（１）の端部で直角に配列される廻り縁部材（２）とがあって、接続部材（３）を介してこの廻り縁部材（２）の下端部（５）が、上記天井支持バー（１）の端部でその下部に突き当たる突当部（８）に対して突き付けるようにぴったりと密接させるとともに接続されていたものが知られていた。
【０００３】
そして、このような場合、上記廻り縁部材（２）の下端部（５）の形状としては、図６および図７のそれぞれ（ｂ）、（ｃ）に示すごとく、上記天井支持バー（１）の突当部（８）に対して突き付けるようにぴったりと密接させやすい形状となっていたものであった。また、上記接続部材（３）は、図６の（ａ）に示すように単に天井支持バー（１）と廻り縁部材（２）との一部に嵌め込まれるようにして取り付けられていてもかまわないし、図７の（ａ）に示すように廻り縁部材（２）の一部をカバーして補強するごとく形成されたカバー取付片（１１）にて取り付けられるものであってもかまわないものである。
【０００４】
さらに、下記の特許文献１に示されている特開２００２−２９４９２０号公報のようなものも知られていた。具体的には、図８ないし図１０に示すごとく、天井に吊部材（１５）で吊持されるフレーム部材（１９）と、このフレーム部材（１９）に設置される天井パネル（１０）と、壁面（４）に固定されるとともに上記フレーム部材（１９）とスライド可能に連結される連結補助具（１８）とからなっているものであって、上記壁面（４）に固定具（６）にて固定されフレーム部材（１９）を支持する廻り縁部材（２）を備え、上記連結補助具（１８）は上記廻り縁部材（２）に固定されるとともにフレーム部材（１９）の嵌合部（２０）にスライド可能に嵌合されるガイド片（１７）を備えていたものであった。
【０００５】
【特許文献１】
特開２００２−２９４９２０号公報
【０００６】
【発明が解決しようとする課題】
しかしながら、このような従来の廻り縁の納め構造においては、まず、図６および図７に示す場合であると、廻り縁部材（２）に天井支持バー（１）を突き付けるだけの構造になっており、地震が発生した際には、地震力がそのまま廻り縁部材（２）に伝わってしまい、結果として、天井の壁際部において地震などの振動を受けて、天井の壁際部に被害をもたらすことがあるものであった。
【０００７】
また、図８ないし図１０に示す場合であると、フレーム部材（１９）と連結補助具（１８）とがスライド可能に連結されているために、地震が発生した際、連結補助具（１８）に対してフレーム部材（１９）がスライドして、地震力がそのまま伝わることはなく、天井の壁際部において地震などの振動を吸収することができるものであるが、施工現場において、壁面（４）に廻り縁部材（２）と連結補助具（１８）とを合わせながら固定具（６）にて取り付け固定しなければならず、結果として、現場での施工がかなり面倒なものであった。
【０００８】
本発明は、上述の問題を解決するためになされたものであって、その目的とするところは、現場での施工が簡単でありながら、天井の壁際部において地震などの振動を最大限に吸収することができる廻り縁の納め構造を提供するものである。
【０００９】
【課題を解決するための手段】
本発明の請求項１に係る廻り縁の納め構造は、格子状に配列した天井支持バー（１）とこの天井支持バー（１）の端部で直角に配列される廻り縁部材（２）とがあって、この廻り縁部材（２）が、上記天井支持バー（１）の端部で接続部材（３）を介して接続されてなる廻り縁の納め構造において、上記廻り縁部材（２）の下端部（５）が、上記天井支持バー（１）の下部に突き当たる突当部（８）に対して前後方向に自在に動くスライド部分となしたことを特徴とする。
【００１０】
本発明の請求項２に係る廻り縁の納め構造は、上記廻り縁部材（２）の下端部（５）が、曲面状に形成されたものであることを特徴とする。
【００１１】
本発明の請求項３に係る廻り縁の納め構造は、上記廻り縁部材（２）の下端部（５）が、最先端部が尖った傾斜面状に形成されたものであることを特徴とする。
【００１２】
本発明の請求項４に係る廻り縁の納め構造は、上記廻り縁部材（２）の下端部（５）と上記突当部（８）との間に若干の隙間を形成したことを特徴とする。
【００１３】
本発明の請求項５に係る廻り縁の納め構造は、上記天井支持バー（１）に対して、同天井支持バー（１）の上方で並行する方向または直交する方向に筋交（１４）を設けたことを特徴とする。
【００１４】
【発明の実施の形態】
以下、本発明を実施形態に係る図面に基づいて詳しく説明する。
【００１５】
図１は、本発明の一実施形態に係る廻り縁の納め構造を示した断面図である。図２は、本発明の他の一実施形態に係る廻り縁の納め構造を示した断面図である。図３は、本発明の一実施形態に係る廻り縁の納め構造において、全体の概略を示した上面図である。図４は、本発明の廻り縁の納め構造に用いられる一実施形態に係る廻り縁部材を示した（ａ）断面図、（ｂ）側面図である。図５は、本発明の廻り縁の納め構造に用いられる他の一実施形態に係る廻り縁部材を示した（ａ）断面図、（ｂ）側面図である。
【００１６】
本発明の廻り縁の納め構造は、図１ないし図５に示すごとく、格子状に配列した天井支持バー（１）とこの天井支持バー（１）の端部で直角に配列される廻り縁部材（２）とがあって、この廻り縁部材（２）が、上記天井支持バー（１）の端部で接続部材（３）を介して接続されてなる廻り縁の納め構造において、上記廻り縁部材（２）の下端部（５）が、上記天井支持バー（１）の下部に突き当たる突当部（８）に対して前後方向に自在に動くスライド部分となしているものである。
【００１７】
上記天井支持バー（１）は、図３に示すごとく、格子状に配列されているものである。そして、この格子状に配列されている天井支持バー（１）の内で同天井支持バー（１）の端部上に天井パネル（１０）を載置するようにして支持しているものである。この天井支持バー（１）は、例えば、同天井支持バー（１）とクロスするようにして設けられた取付バー（１３）と取付具（１６）を介して吊り具（１５）によって取り付けられているものである。この天井支持バー（１）の材質は、通常金属製のものが用いられるが、天井パネル（１０）を支持する強度を有しているものであれば、樹脂製のものなどその他の材質のものが採用されたとしてもかまわないものである。なお、このように設置された天井パネル（１０）の代わりに、同図３に示すごとき、必要に応じて、照明器具（１２）などのようなその他に天井に設置される必要のある設備機器が設置されてもかまわないものである。
【００１８】
上記廻り縁部材（２）は、図１ないし図３に示すごとく、上記天井支持バー（１）の端部で直角に配列されているものである。この廻り縁部材（２）は、天井の壁面（４）に釘やビス、ネジなどのような固定具（６）にて固定されているものである。本実施形態では、この廻り縁部材（２）の中腹部分としては、図４および図５に示すごとく、上記固定具（６）が取り付けやすいような外方へ膨らませた形状となっているものであるが、同固定具（６）を取り付けることができるものであれば、これに制限されるものではないものである。この廻り縁部材（２）の材質としても、上記天井支持バー（１）と同様に、通常金属製のものが用いられるが、廻り縁としての強度を有するものであれば、樹脂製のものなどその他の材質のものが採用されたとしてもかまわないものである。
【００１９】
また、上記廻り縁部材（２）の下端部（５）が、図１および図２に示すごとく、上記天井支持バー（１）の下部に突き当たる突当部（８）に対して前後方向に自在に動くスライド部分となしているものである。具体的には、この廻り縁部材（２）の下端部（５）が、上記天井支持バー（１）の端部で上記突当部（８）に対して突き付けるようにぴったりと密接させても、同下端部（５）が曲面状に形成されていたり、最先端部が尖った傾斜面状になっていたり、バネ状になっていたりしているために、前後方向に自在に動けるようになっているものである。
【００２０】
上記接続部材（３）は、図１および図２に示すごとく、上記天井支持バー（１）の端部で同天井支持バー（１）と上記廻り縁部材（２）との間に介在されるものである。この接続部材（３）の材質としても、上記天井支持バー（１）などと同様に、通常金属製のものが用いられるが、天井支持バー（１）と廻り縁部材（２）とを充分に接続して維持する強度を有するものであれば、樹脂製のものなどその他の材質のものが採用されたとしてもかまわないものである。なお、この接続部材（３）は、図１に示すように天井支持バー（１）と廻り縁部材（２）との一部に形成された取付溝（７）に同接続部材（３）の嵌合部（９）が嵌め込まれるようにして取り付けられていてもかまわないし、図２に示すように廻り縁部材（２）の一部をカバーして補強するごとく形成されたカバー取付片（１１）にて取り付けられるものであってもかまわないものである。
【００２１】
本発明は、このような構成をとることによって、格子状に配列した天井支持バー（１）とこの天井支持バー（１）の端部で直角に配列される廻り縁部材（２）とを接続部材（３）を介して接続するだけであるために、現場での施工としては簡単なものとなり、しかも、廻り縁部材（２）の下端部（５）が、天井支持バー（１）の下部に突き当たる突当部（８）に対して前後方向に自在に動くスライド部分であるために、地震が発生した際、天井支持バー（１）が前後方向にスライドして、地震力がそのまま廻り縁部材（２）へ伝わることはなく、結果として、天井の壁際部の被害を最小限にすることができ、そして、天井の壁際部において地震などの振動を吸収することができるものである。
【００２２】
すなわち、本発明は、現場での施工が簡単でありながら、天井の壁際部において地震などの振動を最大限に吸収することができるものである。
【００２３】
また、図２および図５の（ａ）、（ｂ）に示すごとく、上記廻り縁部材（２）の下端部（５）が、曲面状に形成されたものであると、地震が発生した際、曲面状に形成された廻り縁部材（２）の下端部（５）に天井支持バー（１）の下部に突き当たる突当部（８）がすべるようにして載り、天井支持バー（１）が前後方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００２４】
さらに、図１および図４の（ａ）、（ｂ）に示すごとく、上記廻り縁部材（２）の下端部（５）が、最先端部が尖った傾斜面状に形成されたものであると、地震が発生した際、最先端部が尖った傾斜面状に形成された廻り縁部材（２）の下端部（５）に天井支持バー（１）の下部に突き当たる突当部（８）がすべるようにして載り、天井支持バー（１）が前後方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００２５】
そして、図１および図２に示すごとく、上記廻り縁部材（２）の下端部（５）と上記突当部（８）との間に若干の隙間を形成しているものであると、地震が発生した際、廻り縁部材（２）の下端部（５）と突当部（８）との間に形成された若干の隙間により、廻り縁部材（２）の下端部（５）に天井支持バー（１）の下部に突き当たる突当部（８）が確実に載って、天井支持バー（１）が上下方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００２６】
しかも、図３に示すごとく、上記天井支持バー（１）に対して、同天井支持バー（１）の上方で並行する方向または直交する方向に筋交（１４）を設けているものであると、天井支持バー（１）にて天井パネル（１０）を支持させる際に、天井支持バー（１）の上方で並行する方向または直交する方向に設けられた筋交（１４）にて天井支持バー（１）が補強されて、天井パネル（１０）を支持させる強度を飛躍的に向上させることができるものである。
【００２７】
なお、上記筋交（１４）が設けられる位置は、図３に示す位置に限られず、天井パネル（１０）を支持する強度などに応じて、様々な位置に自由自在に設けることができるものである。
【００２８】
【発明の効果】
本発明の請求項１に係る廻り縁の納め構造によると、格子状に配列した天井支持バー（１）とこの天井支持バー（１）の端部で直角に配列される廻り縁部材（２）とを接続部材（３）を介して接続するだけであるために、現場での施工としては簡単なものとなり、しかも、廻り縁部材（２）の下端部（５）が、天井支持バー（１）の下部に突き当たる突当部（８）に対して前後方向に自在に動くスライド部分であるために、地震が発生した際、天井支持バー（１）が前後方向にスライドして、地震力がそのまま廻り縁部材（２）へ伝わることはなく、結果として、天井の壁際部の被害を最小限にすることができ、そして、天井の壁際部において地震などの振動を吸収することができるものである。
【００２９】
すなわち、本発明は、現場での施工が簡単でありながら、天井の壁際部において地震などの振動を最大限に吸収することができるものである。
【００３０】
本発明の請求項２に係る廻り縁の納め構造によると、請求項１記載の場合に加えて、地震が発生した際、曲面状に形成された廻り縁部材（２）の下端部（５）に天井支持バー（１）の下部に突き当たる突当部（８）がすべるようにして載り、天井支持バー（１）が前後方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００３１】
本発明の請求項３に係る廻り縁の納め構造によると、請求項１記載の場合に加えて、地震が発生した際、最先端部が尖った傾斜面状に形成された廻り縁部材（２）の下端部（５）に天井支持バー（１）の下部に突き当たる突当部（８）がすべるようにして載り、天井支持バー（１）が前後方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００３２】
本発明の請求項４に係る廻り縁の納め構造によると、請求項１ないし請求項３いずれか記載の場合に加えて、地震が発生した際、廻り縁部材（２）の下端部（５）と突当部（８）との間に形成された若干の隙間により、廻り縁部材（２）の下端部（５）に天井支持バー（１）の下部に突き当たる突当部（８）が確実に載って、天井支持バー（１）が上下方向に確実、かつ、スムーズにスライドして、地震力がそのまま廻り縁部材（２）へ伝わることは確実になくなり、結果として、天井の壁際部の被害を確実に最小限にすることができるものである。そして、天井の壁際部において地震などの振動を確実に吸収することができるものである。
【００３３】
本発明の請求項５に係る廻り縁の納め構造によると、請求項１ないし請求項４いずれか記載の場合に加えて、天井支持バー（１）にて天井パネル（１０）を支持させる際に、天井支持バー（１）の上方で並行する方向または直交する方向に設けられた筋交（１４）にて天井支持バー（１）が補強されて、天井パネル（１０）を支持させる強度を飛躍的に向上させることができるものである。
【図面の簡単な説明】
【図１】本発明の一実施形態に係る廻り縁の納め構造を示した断面図である。
【図２】本発明の他の一実施形態に係る廻り縁の納め構造を示した断面図である。
【図３】本発明の一実施形態に係る廻り縁の納め構造において、全体の概略を示した上面図である。
【図４】本発明の廻り縁の納め構造に用いられる一実施形態に係る廻り縁部材を示した（ａ）断面図、（ｂ）側面図である。
【図５】本発明の廻り縁の納め構造に用いられる他の一実施形態に係る廻り縁部材を示した（ａ）断面図、（ｂ）側面図である。
【図６】（ａ）は、一従来例に係る廻り縁の納め構造を示した要部斜視図であり、（ｂ）は、同従来例として用いられる廻り縁部材を示した断面図であり、（ｃ）は、同従来例として用いられる廻り縁部材を示した側面図である。
【図７】（ａ）は、他の一従来例に係る廻り縁の納め構造を示した要部斜視図であり、（ｂ）は、同従来例として用いられる廻り縁部材を示した断面図であり、（ｃ）は、同従来例として用いられる廻り縁部材を示した側面図である。
【図８】さらに他の一従来例に係る廻り縁の納め構造を示し、一部破断した側面図である。
【図９】図８の従来例に係る廻り縁の納め構造を別の側面で切った断面図である。
【図１０】図８の従来例に係る廻り縁の納め構造において、要部の分解状態の斜視図である。
【符号の説明】
１    天井支持バー
２    廻り縁部材
３    接続部材
５    下端部
８    突当部
１４  筋交
【図１】
2004332477.tif 000003
【図２】
2004332477.tif 000004
【図３】
2004332477.tif 000005
【図４】
2004332477.tif 000006
【図５】
2004332477.tif 000007
【図６】
2004332477.tif 000008
【図７】
2004332477.tif 000009
【図８】
2004332477.tif 000010
【図９】
2004332477.tif 000011
【図１０】
2004332477.tif 000012